(57)【特許請求の範囲】
【請求項１】
複数の異なる種別のデータが複数連結して１つのレコードが構成されるとともに当該レコードに当該レコードを識別する情報を有し、且つ各レコードを構成するデータの種別が異なるレコードが混在する形態で複数レコード格納されるとともに、前記レコードを識別する情報から当該レコードを構成するデータのデータ項目名がその並び順とともに定義された定義情報を有するファイルより、複数のレコードを取り出して当該レコードに含まれるデータを画面上に表示する情報表示装置であって、
前記情報表示装置は、
画面上に表示されている複数のレコードそれぞれに属する複数のデータのうちの１つのデータの選択の入力を、該１つのデータが属する１つのレコードの選択の入力として受信する手段と、
前記受信された選択レコードに含まれるレコード識別情報より前記定義情報を参照して、当該レコードを構成するデータの項目名とそのデータの並び順を抽出する手段と、
前記抽出したデータ項目名を前記情報表示装置の画面上に表示されているレコードのデータのうち、前記選択受信したレコードの各データの並び順に対応させて画面上に表示する手段と、
前記レコードの選択の入力として選択の入力が受信された１つのデータの項目に関する注釈を表示する手段と、
を備えたことを特徴とする情報表示装置。
【請求項２】
コンピュータを、複数の異なる種別のデータが複数連結して１つのレコードが構成されるとともに当該レコードに当該レコードを識別する情報を有し、且つ各レコードを構成するデータの種別が異なるレコードが混在する形態で複数レコード格納されるとともに、前記レコードを識別する情報から当該レコードを構成するデータのデータ項目名がその並び順とともに定義された定義情報を有するファイルより、複数のレコードを取り出して当該レコードに含まれるデータを画面上に表示する情報表示装置として機能させるためのプログラムであって、
前記コンピュータを、
画面上に表示されている複数のレコードそれぞれに属する複数のデータのうちの１つのデータの選択の入力を、該１つのデータが属する１つのレコードの選択の入力として受信する手段と、
前記受信された選択レコードに含まれるレコード識別情報より前記定義情報を参照して、当該レコードを構成するデータの項目名とそのデータの並び順を抽出する手段と、
前記抽出したデータ項目名を前記情報表示装置の画面上に表示されているレコードのデータのうち、前記選択受信したレコードの各データの並び順に対応させて画面上に表示する手段と、
前記レコードの選択の入力として選択の入力が受信された１つのデータの項目に関する注釈を表示する手段と、
して機能させる情報表示プログラム。
【請求項３】
コンピュータが、複数の異なる種別のデータが複数連結して１つのレコードが構成されるとともに当該レコードに当該レコードを識別する情報を有し、且つ各レコードを構成するデータの種別が異なるレコードが混在する形態で複数レコード格納されるとともに、前記レコードを識別する情報から当該レコードを構成するデータのデータ項目名がその並び順とともに定義された定義情報を有するファイルより、複数のレコードを取り出して当該レコードに含まれるデータを画面上に表示するための方法であって、
前記コンピュータは、
画面上に表示されている複数のレコードそれぞれに属する複数のデータのうちの１つのデータの選択の入力を、該１つのデータが属する１つのレコードの選択の入力として受信するステップと、
前記受信された選択レコードに含まれるレコード識別情報より前記定義情報を参照して、当該レコードを構成するデータの項目名とそのデータの並び順を抽出するステップと、
前記抽出したデータ項目名を画面上に表示されているレコードのデータのうち、前記選択受信したレコードの各データの並び順に対応させて画面上に表示するステップと、
前記レコードの選択の入力として選択の入力が受信された１つのデータの項目に関する注釈を表示するステップと、
を実行することを特徴とする情報表示方法。
【発明の詳細な説明】
【技術分野】
【０００１】
本発明は、ファイルより情報を取り出して画面上に表示する情報表示装置、情報表示プログラム、および情報表示方法に関する。
【背景技術】
【０００２】
従来、介護保険事業者または医療保険事業者は、介護報酬請求システムまたは医療報酬請求システムを利用して介護報酬請求または医療報酬請求を審査請求機関に提出するための介護報酬情報または医療報酬情報をＣＳＶ（Ｃｏｍｍａ  Ｓｅｐａｒａｔｅｄ  Ｖａｌｕｅ）形式で記録されたファイルに出力している。
【発明の開示】
【発明が解決しようとする課題】
【０００３】
このＣＳＶファイルに格納されたデータは、カンマで区切られたデータが並んで記録されているだけであるため、そのまま画面上に表示したのでは、どの項目にどのようなデータが入っているかを直接確認することが難しい。
【０００４】
従来は、ＣＳＶファイルをテキストエディタ等で画面上に表示させ、何バイトか目算して該当のデータ項目を見付けその内容の確認を行い、必要であればデータの修正を行っているが、その際、ＣＳＶファイルの各データ項目の意味付けが不明な場合はファイル設計書をみて各データ項目の意味づけを確認する必要があるなど、データの内容を確認することが難しく、確認作業の効率が低いという問題がある。
【０００５】
また、ＣＳＶファイルのデータ検索を行う場合についても、任意のレコード及びデータ項目について簡単に検索することは不可能であり、従ってデータの修正作業も難しく、人為的ミスが多発する可能性が高い。
【０００６】
本発明は、上記事情に鑑み、内容の確認および修正の容易な情報表示装置、情報表示プログラム、および情報表示方法を提供することを目的とする。
【課題を解決するための手段】
【０００７】
本発明の情報表示装置は、
複数の異なる種別のデータが複数連結して１つのレコードが構成されるとともに当該レコードに当該レコードを識別する情報を有し、且つ各レコードを構成するデータの種別が異なるレコードが混在する形態で複数レコード格納されるとともに、上記レコードを識別する情報から当該レコードを構成するデータのデータ項目名がその並び順とともに定義された定義情報を有するファイルより、複数のレコードを取り出して当該レコードに含まれるデータを画面上に表示する情報表示装置であって、
上記情報表示装置は、
画面上に表示されている複数のレコードから１つのレコードの選択の入力を受信する手段と、
上記受信された選択レコードに含まれるレコード識別情報より上記定義情報を参照して、当該レコードを構成するデータの項目名とそのデータの並び順を抽出する手段と、
上記抽出したデータ項目名を上記情報表示装置の画面上に表示されているレコードのデータのうち、上記選択受信したレコードの各データの並び順に対応させて画面上に表示する手段と、
を備えたことを特徴とする。
【０００８】
また、本発明の情報表示プログラムは、
コンピュータを、複数の異なる種別のデータが複数連結して１つのレコードが構成されるとともに当該レコードに当該レコードを識別する情報を有し、且つ各レコードを構成するデータの種別が異なるレコードが混在する形態で複数レコード格納されるとともに、上記レコードを識別する情報から当該レコードを構成するデータのデータ項目名がその並び順とともに定義された定義情報を有するファイルより、複数のレコードを取り出して当該レコードに含まれるデータを画面上に表示する情報表示装置として機能させるためのプログラムであって、
上記コンピュータを、
画面上に表示されている複数のレコードから１つのレコードの選択の入力を受信する手段と、
上記受信された選択レコードに含まれるレコード識別情報より上記定義情報を参照して、当該レコードを構成するデータの項目名とそのデータの並び順を抽出する手段と、
上記抽出したデータ項目名を上記情報表示装置の画面上に表示されているレコードのデータのうち、上記選択受信したレコードの各データの並び順に対応させて画面上に表示する手段と、
して機能させるプログラムである。
【０００９】
また、本発明の情報表示方法は、
コンピュータが、複数の異なる種別のデータが複数連結して１つのレコードが構成されるとともに当該レコードに当該レコードを識別する情報を有し、且つ各レコードを構成するデータの種別が異なるレコードが混在する形態で複数レコード格納されるとともに、上記レコードを識別する情報から当該レコードを構成するデータのデータ項目名がその並び順とともに定義された定義情報を有するファイルより、複数のレコードを取り出して当該レコードに含まれるデータを画面上に表示するための方法であって、
上記コンピュータは、
画面上に表示されている複数のレコードから１つのレコードの選択の入力を受信するステップと、
上記受信された選択レコードに含まれるレコード識別情報より上記定義情報を参照して、当該レコードを構成するデータの項目名とそのデータの並び順を抽出するステップと、
上記抽出したデータ項目名を上記情報表示装置の画面上に表示されているレコードのデータのうち、上記選択受信したレコードの各データの並び順に対応させて画面上に表示するステップと、
を実行することを特徴とする。
【発明の効果】
【００１０】
本発明の情報表示装置によれば、情報を画面上に表示する際に、操作により指定された行のレコードに応じた、各データの内容を表す項目名の並びを、指定された行のレコードを構成するデータに対応付けて前記画面上に表示するように構成したので、例えば、介護報酬請求システムから出力されたＣＳＶファイルを審査機関に提出する最終段階におけるファイル内容の確認を極めて容易に行うことができる。
【００１１】
また、本発明の情報表示装置にレコード修正部を備えた場合は、ＣＳＶファイルに誤りがあった場合でも、正確かつ容易にデータを修正することができる。
【００１２】
また、本発明の情報表示装置に注釈表示部を備えた場合は、ファイル設計書の仕様内容が画面上に表示されるため、項目の確認のための作業効率を向上させることができる。
【００１３】
また、本発明の情報表示装置に情報検索部を備えた場合は、ファイル内の任意のデータについてのレコード単位や項目単位での検索、またはあいまい検索など柔軟な検索が容易
となる。
【００１４】
また、本発明の情報表示プログラムによれば、上記の情報表示装置をコンピュータシステム上に容易に形成することができる。
【００１５】
また、本発明の情報表示方法によれば、上記の情報表示装置の機能をコンピュータシステム上で容易に実行させることができる。
【発明を実施するための最良の形態】
【００１６】
以下図面を参照して本発明の実施の形態を説明する。
【００１７】
この実施形態は、本発明を、例えば介護報酬請求システム又は医療報酬請求システムにおける情報表示装置、情報表示プログラム、および情報表示方法として適用した態様を示すものである。
【００１８】
図１は、本実施形態の介護報酬情報表示装置が適用されるコンピュータシステムの概略構成図である。
【００１９】
図１に示すように、このコンピュータシステム１０には、介護報酬情報表示装置１が内部に形成されたパーソナルコンピュータ本体部２と、介護報酬に関する情報処理が行われる介護報酬請求システム１１からＣＤ−ＲＯＭ３の形で出力された介護報酬請求ファイルを受け取り、それをパーソナルコンピュータ本体部２に読み込むためのＣＤ−ＲＯＭドライブ４と、読み込んだ介護報酬請求ファイルを請求ファイルデータベース５の形で保存するハードディスクなどの記憶装置６とを有している。
【００２０】
なお、介護報酬請求システム１１とパーソナルコンピュータ本体部２とが通信回線１２で接続されている場合は、ＣＤ−ＲＯＭなどの記憶媒体を用いることなく、通信回線１２を介してオンラインで介護報酬請求ファイルを送受信するように構成してもよい。
【００２１】
図２は、本実施形態の介護報酬情報表示装置および介護報酬情報表示プログラムの一態様を示す概略構成図である。
【００２２】
図２に示すように、この介護報酬情報表示装置２０は、介護報酬表示部２１と、項目名表示部２２と、レコード修正部２３と、注釈表示部２４と、情報検索部２５とを備えている。
【００２３】
介護報酬表示部２１は、介護報酬に関する複数のデータが区切り符号を介して連結されたレコード複数からなる介護報酬情報を、前記複数のデータを行方向に１レコード分ずつ表示する２次元表形式で画面上に表示するものであり、
項目名表示部２２は、上記の２次元表形式で表示されたレコードのうち、操作により指定された行のレコードに応じた、そのレコードの各データの内容を表す項目名の並びを作成し、その項目名の並びを、上記指定された行のレコードを構成するデータに対応付けて前記画面上に表示するものであり、
レコード修正部２３は、２次元表形式で表示された複数行のレコードのうち、操作により指定された行のレコードを修正するものであり、
注釈表示部２４は、２次元表形式で表示された複数行のレコードのうちの、操作により指定された行のレコードの項目に関する注釈を前記画面上に表示するものであり、
情報検索部２５は、上記画面上に表示された項目名の並びのうちの、操作により指定されたレコード番号または項目をキーとする情報検索を行うものである。
【００２４】
一般に、介護報酬請求システムでは、このような複数のデータが区切り符号を介して連結されたレコード複数からなるデータ形式の一つであるＣＳＶ（Ｃｏｍｍａ  Ｓｅｐａｒａｔｅｄ  Ｖａｌｕｅ）形式が広く用いられている。このＣＳＶ形式では、各データはコンマを介して連結されたレコード複数からなり、各レコード間は改行コードで区切られている。この介護報酬請求システムから出力される介護報酬情報は、複数種類のレコードからなり、各レコードの種類ごとにデータ項目の並びが異なっており、各レコード種別ごとのデータ項目の詳細については、介護報酬請求システムのファイル設計書に定義されている。
【００２５】
図３は、本実施形態における介護報酬情報の基本情報レコードの構成を示す図である。
【００２６】
図３に示すように、この介護報酬情報の基本情報レコードは、基本レコード、明細情報レコード、および集計レコードからなる。
【００２７】
基本レコードは、交換情報識別番号、レコード種別コード、サービス提供年齢、事業所番号、証記載保険者番号、被保険者番号、…などからなり、明細情報レコードは、交換情報識別番号、レコード種別コード、サービス提供年月日、事業所番号、証記載保険者番号、被保険者番号、…などからなり、集計レコードは、交換情報識別番号、レコード種別コード、サービス提供年月日、事業所番号、証記載保険者番号、被保険者番号、…、短期入所実日数などからなる。
【００２８】
図４は、本実施形態における介護報酬情報の項目名を示す表の一部である。
【００２９】
図４に示すように、この介護報酬情報は、
コントロールレコード
介護給付費請求情報
介護給付費請求別紙情報
介護給付費請求明細情報（基本レコード）
介護給付費請求明細情報（明細情報レコード）
…
エンドレコード
など複数種類のレコードからなっており、これら各レコードごとにデータ項目の並びが異なっている。
【００３０】
図４に示すように、例えば、コントロールレコードを構成するデータ項目は、レコード種別、レコード番号、ボリューム通番、レコード件数、データ種別、福祉事務所特定番号、…であり、介護給付費請求情報を構成するデータ項目は、レコード種別、レコード番号、交換情報識別番号、サービス提供年月、事業所番号、保険・公費等区分番号、…である。
【００３１】
図５は、図４に示した介護報酬情報のレコードの種類ごとの各データ項目に関する注釈を示す表の一部である。
【００３２】
図５に示すように、例えば、コントロールレコードを構成するレコード種別に関する注釈としては「１：コントロールレコード」、レコード番号に関する注釈としては「ファイル内のレコード通番」、ボリューム通番に関する注釈としては「０：単独ファイル  １〜：マルチボリュームの通番」、レコード件数に関する注釈としては「空白」、データ種別に関する注釈としては「先頭データの交換情報識別番号の上３桁」、福祉事務所特定番号に関する注釈としては「０：福祉事務所以外  １２：福祉事務所」などのように定義されている。
【００３３】
図６は、本実施形態の介護報酬情報表示装置の画面上に表示された介護報酬情報の参照画面を示す図である。
【００３４】
図６に示すように、この参照画面３０には、表本体部３１、注釈表示欄３２、および検索キー入力欄３３が表示される。
【００３５】
表本体部３１は、２次元の一覧表の形式で表示され、一覧表の最上行には、データの内容を表す項目名の並び、すなわち、レコード種別、レコード番号、交換情報、サービス提供、事業所番号、保険・公費、法別番号、…、などの項目名表示欄３１ａが表示されている。ここに示された項目名の並びは、図５に示したレコード種類のうちの介護給付費請求情報に対応するものである。
【００３６】
項目名表示欄３１ａの下のデータ表示欄３１ｂには、本実施形態の介護報酬表示部２１（図２参照）により、複数のデータが区切り符号（本実施形態では「カンマ」）を介して連結されたレコード複数からなる介護報酬情報が、２次元表形式で、すなわち、列方向に複数のデータ項目が並び、行方向に複数のレコードが並んで表示されている。
【００３７】
図４に基づいて説明したように、この介護報酬情報は、各レコードごとにデータ項目の並びが異なっているため、最上行に表示されている項目名はすべてのレコードに共通の項目名を表わすものではない。
【００３８】
本実施形態の項目名表示部２２（図２参照）は、図６の参照画面３０のデータ表示欄３１ｂのうちの、カーソル操作により指定された行のレコードに応じた、そのレコードの各データの内容を表す項目名の並びを作成し、その項目名の並びを、上記指定された行のレコードを構成するデータに対応付けて参照画面３０上に一覧表として表示する。
【００３９】
図６には、データ表示欄３１ｂのうちの、上から８行目のレコード「２，８，７１２１，２００００４，０４７０４０００１１，１，５，…」のうちのデータ「７１２１」がカーソル３４で指定された場合を示しており、この８行目のレコードに応じた各データの内容を表す項目名の並びが項目名表示部２２により作成され、その項目名の並びが、介護報酬表示部２１により、上記指定された８行目のレコードを構成するデータに対応付けて参照画面３０上の項目名表示欄３１ａに表示される。
【００４０】
この項目名の並びは、カーソル３４を任意の項目に移動すると、その指定されたレコードの指定された項目の内容を表す項目名の並びに自動的に切り替わるようになっている。
【００４１】
注釈表示欄３２には、２次元表形式で表示された複数行のレコードのうちの、上記のカーソル３４の操作により選択された８行目のレコードの項目「交換情報識別番号：７１２１」に関する注釈が「[給付請求明細（明細レコード）]被保険者番号  １０桁に満たない場合は０を埋める。また生保・・」のように表示される。
【００４２】
検索キー入力欄３３には、検索すべきレコード番号を入力するレコード番号入力域３３ａと検索すべき項目の文字列を入力する項目入力域３３ｂとがある。本実施形態の情報検索部２５（図２参照）は、ＣＳＶファイルのレコード単位の検索、項目単位の検索、およびあいまい検索が可能である。
【００４３】
次に、本実施形態の介護報酬情報表示装置の各部の動作について説明する。
【００４４】
図７は、本実施形態の介護報酬情報表示装置の介護報酬表示部の動作を示すフローチャ
ートである。
【００４５】
図７に示すように、先ず、コンピュータシステム１０の画面上で、表示すべき介護報酬情報のＣＳＶファイルが指定されると（ステップＳ１１）、ＣＤ−ＲＯＭドライブ４（図１参照）に挿入されたＣＤ−ＲＯＭ３から介護報酬請求ファイルがパーソナルコンピュータ本体部２に読み込まれる（ステップＳ１２）。
介護報酬表示部（図２参照）は、介護報酬に関する複数のデータが区切り符号を介して連結されたレコード複数からなる介護報酬情報を、２次元表形式で、すなわち複数のデータを行方向に１レコード分ずつ画面上に表示する（ステップＳ１３）。これらの各ＣＳＶレコードは、レコードの種類に応じた行の色に設定されて表示され（ステップＳ１４）、画面クリック待ちの状態となる（ステップＳ１５）。
【００４６】
図８は、図７に示した画面をクリックした時の処理を示すフローチャートである。
【００４７】
図８に示すように、クリックした行がコントロールレコード（図４参照）か否かが判定される（ステップＳ２１）。判定の結果、クリックした行がコントロールレコードであると判定された場合は、一覧表の見出しにコントロールレコードの項目名の並びを表示し（ステップＳ２２）、ステップＳ２９に進む。
【００４８】
ステップＳ２１における判定の結果、クリックした行がコントロールレコードではないと判定された場合は、クリックした行がエンドレコード（図４参照）か否かが判定される（ステップＳ２３）。判定の結果、クリックした行がエンドレコードであると判定された場合は、一覧表の見出しにエンドレコードの項目名の並びを表示し（ステップＳ２４）、ステップＳ２９に進む。
【００４９】
ステップＳ２３における判定の結果、クリックした行がエンドレコードではないと判定された場合は、交換情報識別番号が７１７１か否かが判定される（ステップＳ２５）。判定の結果、交換情報識別番号が７１７１であると判定された場合は、一覧表の見出しに介護給付費請求情報の項目名を表示し（ステップＳ２６）、ステップＳ２９に進む。
【００５０】
ステップＳ２５における判定の結果、交換情報識別番号が７１７１ではないと判定された場合は、交換情報識別番号が７１７２か否かが判定される（ステップＳ２７）。判定の結果、交換情報識別番号が７１７２であると判定された場合は、一覧表の見出しに介護給付費請求別紙情報の項目名を表示し（ステップＳ２８）、ステップＳ２９に進む。
【００５１】
ステップＳ２７における判定の結果、交換情報識別番号が７１７２ではないと判定された場合は、ステップＳ２９に進み、クリックしたセルに該当する項目の注釈をステータスバーに表示し、処理を終了する。
【００５２】
図９は、画面上に表示された介護報酬情報の検索処理および修正処理のフローチャートである。
【００５３】
図９に示すように、検索ボタン（図示せず）がクリックされ、項目入力域３３ｂ（図６参照）に検索すべき項目の文字列を入力する（ステップＳ３１）と、画面内から検索文字列に一致する文字列を検索し（ステップＳ３２）、文字列が一致したセル（データ）を着色する（ステップＳ３３）。ここで、必要があれば、この着色した文字列を修正することができる。
【００５４】
さらに、次の項目を検索するか否かが判定され（ステップＳ３４）、次の項目を検索すると判定された場合はステップＳ３２に戻り次の文字列を検索する。
【００５５】
ステップＳ３４の判定の結果、次の項目の検索を行わないと判定された場合は
、すべての処理を終了する。
【００５６】
図１０は、本実施形態の項目名表示部により項目名の並びが画面上に表示される様子を示す図である。
【００５７】
図１０には、本実施形態の介護報酬情報表示装置における介護報酬表示部により、介護報酬に関する複数のデータが行方向に１レコード分ずつ２次元表形式で画面４０上に表示された状態が示されている。
【００５８】
この画面４０の項目名表示欄４１ａには、データ表示欄４１ｂの第１行目のデータ「７１１」をカーソル４４で指定しクリックした際のそのクリック操作により指定された第１行目のレコードに応じた、そのレコードの各データの内容を表す項目名の並びが、上記指定された行のレコードを構成するデータに対応付けて画面４０上に一覧表として表示されている。
【００５９】
すなわち、項目名表示欄４１ａには、コントロールレコード（図４参照）に示された、レコード種別、レコード番号、ボリューム通番、レコード件数、データ種別、福祉事務所特定番号、…の項目名の並びが表示されている。また、この時、注釈表示欄４２には、「[コントロールレコード]  データ種別・・・」のように、データ「７１１」に対応する注釈が表示される。
【００６０】
ここで、図１０の画面５０に示すように、データ表示欄５１ｂの第４行目のデータ「０４７０＊０００１１」をカーソル５４で指定しクリックした場合は、そのクリック操作により指定された第４行目のレコードに応じた、そのレコードの各データの内容を表す項目名の並び、すなわち、「レコード種別、レコード番号、交換情報識別番号、サービス提供年月、事業所番号、証記…」のように項目名の並びが表示される。また、この時、注釈表示欄５２には、「[給付請求明細（明細レコード）]  非保険者番号  １０桁に満たない場合は０・・・」のように、データ「０４７０＊０００１１」に対応する注釈が表示される。
【００６１】
次に、本発明の情報表示装置を医療報酬情報表示装置として適用した例について説明する。
【００６２】
この医療報酬情報表示装置は、医療報酬に関する複数のデータが区切り符号を介して連結されたレコード複数からなる医療報酬情報を画面上に表示するものであり、上記の医療報酬情報を、複数のデータを行方向に１レコード分ずつ表示する２次元表形式で画面上に表示する医療報酬表示部と、２次元表形式で表示されたレコードのうち、操作により指定された行のレコードに応じた、レコードの各データの内容を表す項目名の並びを作成し、項目名の並びを、指定された行のレコードを構成するデータに対応付けて画面上に表示する項目名表示部を備えている。
【００６３】
図１１は、本実施形態の医療報酬情報表示装置の一態様を示す概略構成図である。
【００６４】
図１１に示すように、この医療報酬情報表示装置６０は、医療報酬表示部６１と、項目名表示部６２とを備えており、さらに、レコード修正部６３と、注釈表示部６４と、情報検索部６５とを備えていてもよい。
【００６５】
医療報酬表示部６１は、医療報酬に関する複数のデータが区切り符号を介して連結され
たレコード複数からなる医療報酬情報を、前記複数のデータを行方向に１レコード分ずつ表示する２次元表形式で画面上に表示するものであり、
項目名表示部６２は、上記の２次元表形式で表示されたレコードのうち、操作により指定された行のレコードに応じた、そのレコードの各データの内容を表す項目名の並びを作成し、その項目名の並びを、上記指定された行のレコードを構成するデータに対応付けて前記画面上に表示するものであり、
レコード修正部６３は、２次元表形式で表示された複数行のレコードのうち、操作により指定された行のレコードを修正するものであり、
注釈表示部６４は、２次元表形式で表示された複数行のレコードのうちの、操作により指定された行のレコードの項目に関する注釈を前記画面上に表示するものであり、
情報検索部６５は、上記画面上に表示された項目名の並びのうちの、操作により指定されたレコード番号または項目をキーとする情報検索を行うものである。
【００６６】
医療報酬請求システムにおいても、介護報酬請求システムと同様、複数のデータが区切り符号を介して連結されたレコード複数からなるデータ形式の一つであるＣＳＶ（Ｃｏｍｍａ  Ｓｅｐａｒａｔｅｄ  Ｖａｌｕｅ）形式が広く用いられている。従って、上述の介護報酬情報表示装置と基本的に同様の構成を有する医療報酬情報表示装置においては、上述の介護報酬情報表示装置における作用効果と同様の作用効果を得ることができるので、詳細な説明は省略する。
【００６７】
以下、本発明の各種形態を付記する。
【００６８】
（付記１）
介護報酬に関する複数のデータが区切り符号を介して連結されたレコード複数からなる介護報酬情報を画面上に表示する介護報酬情報表示装置において、
前記介護報酬情報を、前記複数のデータを行方向に１レコード分ずつ表示する２次元表形式で画面上に表示する介護報酬表示部と、該２次元表形式で表示されたレコードのうち、操作により指定された行のレコードに応じた、該レコードの各データの内容を表す項目名の並びを作成し、該項目名の並びを、前記指定された行のレコードを構成するデータに対応付けて前記画面上に表示する項目名表示部を備えたことを特徴とする介護報酬情報表示装置。
【００６９】
（付記２）
２次元表形式で表示された複数行のレコードのうち、操作により指定された行のレコードを修正するレコード修正部を備えたことを特徴とする付記１記載の介護報酬情報表示装置。
【００７０】
（付記３）
２次元表形式で表示された複数行のレコードのうちの、操作により指定された行のレコードの項目に関する注釈を前記画面上に表示する注釈表示部を備えたことを特徴とする付記１記載の介護報酬情報表示装置。
【００７１】
（付記４）
前記画面上に表示された項目名の並びのうちの、操作により指定された項目をキーとする情報検索を行う情報検索部を備えたことを特徴とする付記１記載の介護報酬情報表示装置。
【００７２】
（付記５）
介護報酬に関する複数のデータが区切り符号を介して連結されたレコード複数からなる介護報酬情報を画面上に表示する介護報酬情報表示装置をコンピュータシステム上に形成
する介護報酬情報表示プログラムであって、
前記介護報酬情報を、前記複数のデータを行方向に１レコード分ずつ表示する２次元表形式で画面上に表示する介護報酬表示部と、該２次元表形式で表示されたレコードのうち、操作により指定された行のレコードに応じた、該レコードの各データの内容を表す項目名の並びを作成し、該項目名の並びを、前記指定された行のレコードを構成するデータに対応付けて前記画面上に表示する項目名表示部を備えたことを特徴とする介護報酬情報表示プログラム。
【００７３】
（付記６）
医療報酬に関する複数のデータが区切り符号を介して連結されたレコード複数からなる医療報酬情報を画面上に表示する医療報酬情報表示装置において、
前記医療報酬情報を、前記複数のデータを行方向に１レコード分ずつ表示する２次元表形式で画面上に表示する医療報酬表示部と、該２次元表形式で表示されたレコードのうち、操作により指定された行のレコードに応じた、該レコードの各データの内容を表す項目名の並びを作成し、該項目名の並びを、前記指定された行のレコードを構成するデータに対応付けて前記画面上に表示する項目名表示部を備えたことを特徴とする医療報酬情報表示装置。
【図面の簡単な説明】
【００７４】
【図１】本実施形態の介護報酬情報表示装置が適用されるコンピュータシステムの概略構成図である。
【図２】本実施形態の介護報酬情報表示装置および介護報酬情報表示プログラムの一態様を示す概略構成図である。
【図３】本実施形態における介護報酬情報の基本情報レコードの構成を示す図である。
【図４】本実施形態における介護報酬情報の項目名を示す表の一部である。
【図５】図４に示した介護報酬情報のレコードの種類ごとの各データ項目に関する注釈を示す表の一部である。
【図６】本実施形態の介護報酬情報表示装置の画面上に表示された介護報酬情報の参照画面を示す図である。
【図７】本実施形態の介護報酬情報表示装置の介護報酬表示部の動作を示すフローチャートである。
【図８】図７に示した画面をクリックした時の処理を示すフローチャートである。
【図９】画面上に表示された介護報酬情報の検索処理および修正処理のフローチャートである。
【図１０】本実施形態の項目名表示部により項目名の並びが画面上に表示される様子を示す図である。
【図１１】本実施形態の医療報酬情報表示装置の一態様を示す概略構成図である。
【符号の説明】
【００７５】
１    介護報酬情報表示装置
２    パーソナルコンピュータ本体部
３    ＣＤ−ＲＯＭ
４    ＣＤ−ＲＯＭドライブ
５    請求ファイルデータベース
６    記憶装置
１０    コンピュータシステム
１１    介護報酬請求システム
１２    通信回線
２０    介護報酬情報表示装置
２１    介護報酬表示部
２２    項目名表示部
２３    レコード修正部
２４    注釈表示部
２５    情報検索部
２６    記憶装置
３０    参照画面
３１    表本体部
３１ａ    項目名表示欄
３１ｂ    データ表示欄
３２    注釈表示欄
３３    検索キー入力欄
３３ａ    レコード番号入力域
３３ｂ    項目入力域
３４    カーソル
４０    画面
４１ａ    項目名表示欄
４１ｂ    データ表示欄
４２    注釈表示欄
４４    カーソル
５０    画面
５１ａ    項目名表示欄
５１ｂ    データ表示欄
５２    注釈表示欄
５４    カーソル
６０    医療報酬情報表示装置
６１    医療報酬表示部
６２    項目名表示部
６３    レコード修正部
６４    注釈表示部
６５    情報検索部
【図１】
0004705924.tif 000002
【図２】
0004705924.tif 000003
【図３】
0004705924.tif 000004
【図４】
0004705924.tif 000005
【図５】
0004705924.tif 000006
【図６】
0004705924.tif 000007
【図７】
0004705924.tif 000008
【図８】
0004705924.tif 000009
【図９】
0004705924.tif 000010
【図１０】
0004705924.tif 000011
【図１１】
0004705924.tif 000012